(57)【要約】【課題】アンテナ特性の劣化を解決するアンテナ装置を提供する。【解決手段】本発明のアンテナ装置５は、無線通信回路を有する基板に装備されたアンテナコネクタが接続される接点部１３ｂと、当該接点部に接続されたアンテナ配線１３ａ，１３ｂと、が形成されたアンテナ基板１０を備える。アンテナ基板１０は、所定の面が相互に対向するよう曲折可能に形成されており、曲折箇所１１を境にして一方側１２に、アンテナ配線のうち一部がループ型に形成されたループアンテナ部１２ａが位置すると共に、曲折箇所１１を境にして他方側１３に、アンテナ配線のうち接点部１３ｂとループアンテナ部１２ａとを連結する連結アンテナ部１３ａ及び接点部１３ｂが位置して形成されており、アンテナ基板１０が曲折された状態において、接点部１３ｂとループアンテナ部１２ａとが相互に重なる位置関係とならないよう、アンテナ基板１０を形成した。【選択図】図２
2013172220.tif 000002
【特許請求の範囲】
【請求項１】
無線通信回路を有する基板に装備されたアンテナコネクタが接続される接点部と、当該接点部に接続されたアンテナ配線と、が形成されたアンテナ基板を備え、
前記アンテナ基板は、所定の面が相互に対向するよう曲折可能に形成されており、曲折箇所を境にして一方側に、前記アンテナ配線のうち一部がループ型に形成されたループアンテナ部が位置すると共に、曲折箇所を境にして他方側に、前記アンテナ配線のうち前記接点部と前記ループアンテナ部とを連結する連結アンテナ部及び前記接点部が位置して形成されており、
前記アンテナ基板が曲折された状態において、前記接点部と前記ループアンテナ部とが相互に重なる位置関係とならないよう、前記アンテナ基板を形成した、
アンテナ装置。
【請求項２】
請求項１に記載のアンテナ装置であって、
前記アンテナ基板の曲折箇所を境にして前記一方側における前記曲折箇所から当該曲折箇所とは反対側の端部までの長さが、前記アンテナ基板の曲折箇所を境にして前記他方側における前記曲折箇所から前記接点部までの長さよりも短く形成されている、
アンテナ装置。
【請求項３】
請求項１又は２に記載のアンテナ装置であって、
前記アンテナ基板が曲折された状態において、前記ループアンテナ部を形成するアンテナ配線と前記連結アンテナ部を形成するアンテナ配線とが相互に近接して位置する箇所で、両アンテナ配線に流れる電流の方向が同一方向となるよう、前記アンテナ基板を形成した、
アンテナ装置。
【請求項４】
請求項１又は２に記載のアンテナ装置であって、
前記アンテナ基板が曲折された状態において、前記ループアンテナ部を形成するアンテナ配線と前記連結アンテナ部を形成するアンテナ配線とが相互に近接して並走する箇所で、両アンテナ配線に流れる電流の方向が同一方向となるよう、前記アンテナ基板を形成した、
アンテナ装置。
【請求項５】
請求項１乃至４のいずれかに記載のアンテナ装置であって、
前記アンテナ基板が曲折された状態において、前記連結アンテナ部は、前記ループアンテナ部の外周を囲う大きさに形成されている、
アンテナ装置。
【請求項６】
無線通信回路を有する基板に装備されたアンテナコネクタが接続される接点部と、当該接点部に接続されたアンテナ配線と、が形成されたアンテナ基板を備え、
前記アンテナ基板は、所定の面が相互に対向するよう曲折可能に形成されており、曲折箇所を境にして一方側に、前記アンテナ配線のうち一部がループ型に形成されたループアンテナ部が位置すると共に、曲折箇所を境にして他方側に、前記アンテナ配線のうち前記接点部と前記ループアンテナ部とを連結する連結アンテナ部及び前記接点部が位置して形成されており、
前記アンテナ基板が曲折された状態において、前記ループアンテナ部を形成するアンテナ配線と前記連結アンテナ部を形成するアンテナ配線とが相互に近接して位置する箇所で、両アンテナ配線に流れる電流の方向が同一方向となるよう、前記アンテナ基板を形成した、
アンテナ装置。
【請求項７】
無線通信回路を有する基板に装備されたアンテナコネクタが接続される接点部と、当該接点部に接続されたアンテナ配線と、が形成されたアンテナ基板を備えたアンテナ装置が装備された電子機器であって、
前記アンテナ装置の前記アンテナ基板は、所定の面が相互に対向するよう曲折可能に形成されており、曲折箇所を境にして一方側に、前記アンテナ配線のうち一部がループ型に形成されたループアンテナ部が位置すると共に、曲折箇所を境にして他方側に、前記アンテナ配線のうち前記接点部と前記ループアンテナ部とを連結する連結アンテナ部及び前記接点部が位置して形成されており、
前記アンテナ基板が曲折された状態において、前記接点部と前記ループアンテナ部とが相互に重なる位置関係とならないよう、前記アンテナ基板を形成した、
電子機器。
【請求項８】
無線通信回路を有する基板に装備されたアンテナコネクタが接続される接点部と、当該接点部に接続されたアンテナ配線と、が形成されたアンテナ基板を備えたアンテナ装置が装備された電子機器であって、
前記アンテナ基板は、所定の面が相互に対向するよう曲折可能に形成されており、曲折箇所を境にして一方側に、前記アンテナ配線のうち一部がループ型に形成されたループアンテナ部が位置すると共に、曲折箇所を境にして他方側に、前記アンテナ配線のうち前記接点部と前記ループアンテナ部とを連結する連結アンテナ部及び前記接点部が位置して形成されており、
前記アンテナ基板が曲折された状態において、前記ループアンテナ部を形成するアンテナ配線と前記連結アンテナ部を形成するアンテナ配線とが相互に近接して位置する箇所で、両アンテナ配線に流れる電流の方向が同一方向となるよう、前記アンテナ基板を形成した、
電子機器。
【発明の詳細な説明】
【技術分野】
【０００１】
本発明は、アンテナ装置にかかり、特に、ループ型のアンテナ装置に関する。
【背景技術】
【０００２】
近年、携帯電話機などの電子機器には、FeliCa（登録商標）に代表される近距離無線にて通信を行うＲＦＩＤ（Radio Frequency IDentification）タグといった、ループ型の磁界誘導アンテナ部を実装したアンテナ装置を備えている。そして、このようなアンテナン装置は、携帯電話機といった小型な電子機器に搭載される際には、搭載スペースが限られているため、ループ型のアンテナ部を折り曲げて構成されることがある（特許文献１参照）。
【０００３】
ここで、ループ型のアンテナ装置の一例を、図１を参照して説明する。図１は、携帯電話機に搭載されるアンテナ装置の構成を示しており、携帯電話機の筐体内部を側面側から見たときの様子を示している。図１に示す携帯電話機の筺体１０１内には、部品配置エリア１０２内に、無線通信回路を有する電気回路が構成された基板部１０３を備えている。そして、基板部１０３に、当該基板部１０３に形成された無線通信回路と部品配設エリア１０２外に配置されるアンテナ装置１０５とを接続するアンテナコネクタ１０４が装備されている。
【０００４】
上記アンテナ装置１０５は、フレキシブル基板で構成されており、Ｕの字状に折り曲げられている（曲折されている）。そして、折り曲げられたアンテナ装置１０５は、アンテナ配線の接点部１０５ａがアンテナコネクタ１０４に接続されるよう当該接点部１０５ａ側が部品配置エリア１０２側に位置して両面テープ１０６で固定される。また、折り曲げられたアンテナ装置１０５の間には、所定の厚みのスペーサ１０７が両面テープ１０６にて固定され、アンテナ配線のループアンテナ部１０５ｂ側が筺体１の外面近くに位置するよう配置される。これにより、アンテナ装置１０５のループアンテナ部１０５ｂは、筐体１０１の外面近くに位置するため、対向通信アンテナとの結合量を確保している。
【先行技術文献】
【特許文献】
【０００５】
【特許文献１】特開２０１１−１６６８１０号公報
【発明の概要】
【発明が解決しようとする課題】
【０００６】
しかしながら、上述したアンテナ装置１０５の構成では、折り曲げられることで、アンテナ配線とアンテナコネクタ１０４などの金属物とが、相互に上下に重なって位置する場合がある。すると、アンテナ配線のループアンテナ部１０５ｂにおける磁束の流れが、アンテナコネクタ１０４といった金属物で阻害される場合があり、アンテナ特性が劣化する、という問題が生じる。
【０００７】
このため、本発明の目的は、上述した課題である、アンテナ特性の劣化を解決するアンテナ装置を提供する、ことにある。
【課題を解決するための手段】
【０００８】
本発明の一形態であるアンテナ装置は、
無線通信回路を有する基板に装備されたアンテナコネクタが接続される接点部と、当該接点部に接続されたアンテナ配線と、が形成されたアンテナ基板を備え、
前記アンテナ基板は、所定の面が相互に対向するよう曲折可能に形成されており、曲折箇所を境にして一方側に、前記アンテナ配線のうち一部がループ型に形成されたループアンテナ部が位置すると共に、曲折箇所を境にして他方側に、前記アンテナ配線のうち前記接点部と前記ループアンテナ部とを連結する連結アンテナ部及び前記接点部が位置して形成されており、
前記アンテナ基板が曲折された状態において、前記接点部と前記ループアンテナ部とが相互に重なる位置関係とならないよう、前記アンテナ基板を形成した、
という構成をとる。
【０００９】
また、本発明の他の形態であるアンテナ装置は、
無線通信回路を有する基板に装備されたアンテナコネクタが接続される接点部と、当該接点部に接続されたアンテナ配線と、が形成されたアンテナ基板を備え、
前記アンテナ基板は、所定の面が相互に対向するよう曲折可能に形成されており、曲折箇所を境にして一方側に、前記アンテナ配線のうち一部がループ型に形成されたループアンテナ部が位置すると共に、曲折箇所を境にして他方側に、前記アンテナ配線のうち前記接点部と前記ループアンテナ部とを連結する連結アンテナ部及び前記接点部が位置して形成されており、
前記アンテナ基板が曲折された状態において、前記ループアンテナ部を形成するアンテナ配線と前記連結アンテナ部を形成するアンテナ配線とが相互に近接して位置する箇所で、両アンテナ配線に流れる電流の方向が同一方向となるよう、前記アンテナ基板を形成した、
という構成をとる。
【００１０】
また、本発明の他の形態である電子機器は、
無線通信回路を有する基板に装備されたアンテナコネクタが接続される接点部と、当該接点部に接続されたアンテナ配線と、が形成されたアンテナ基板を備えたアンテナ装置が装備された電子機器であって、
前記アンテナ装置の前記アンテナ基板は、所定の面が相互に対向するよう曲折可能に形成されており、曲折箇所を境にして一方側に、前記アンテナ配線のうち一部がループ型に形成されたループアンテナ部が位置すると共に、曲折箇所を境にして他方側に、前記アンテナ配線のうち前記接点部と前記ループアンテナ部とを連結する連結アンテナ部及び前記接点部が位置して形成されており、
前記アンテナ基板が曲折された状態において、前記接点部と前記ループアンテナ部とが相互に重なる位置関係とならないよう、前記アンテナ基板を形成した、
という構成をとる。
【００１１】
また、本発明の他の形態である電子機器は、
無線通信回路を有する基板に装備されたアンテナコネクタが接続される接点部と、当該接点部に接続されたアンテナ配線と、が形成されたアンテナ基板を備えたアンテナ装置が装備された電子機器であって、
前記アンテナ基板は、所定の面が相互に対向するよう曲折可能に形成されており、曲折箇所を境にして一方側に、前記アンテナ配線のうち一部がループ型に形成されたループアンテナ部が位置すると共に、曲折箇所を境にして他方側に、前記アンテナ配線のうち前記接点部と前記ループアンテナ部とを連結する連結アンテナ部及び前記接点部が位置して形成されており、
前記アンテナ基板が曲折された状態において、前記ループアンテナ部を形成するアンテナ配線と前記連結アンテナ部を形成するアンテナ配線とが相互に近接して位置する箇所で、両アンテナ配線に流れる電流の方向が同一方向となるよう、前記アンテナ基板を形成した、
という構成をとる。
【発明の効果】
【００１２】
本発明は、以上のように構成されるため、ループ型のアンテナ装置におけるアンテナ特性の向上を図ることができる。
【図面の簡単な説明】
【００１３】
【図１】本発明に関連するアンテナ装置を装備した携帯電話機の構成を示す図である。
【図２】本発明の実施形態１におけるアンテナ装置を装備した携帯電話機の構成を示す図である。
【図３】図２に開示したアンテナ基板の構成を示す図である。
【図４】図２に開示したアンテナ基板の構成を示す図である。
【図５】図２に開示したアンテナ基板の構成を示す図である。
【図６】図２に開示したアンテナ装置を携帯電話機に装備したときの様子を示す図である。
【図７】本発明の実施形態２におけるアンテナ装置を装備した携帯電話機の構成を示す図である。
【図８】図７に開示したアンテナ装置を携帯電話機に装備したときの様子を示す図である。
【発明を実施するための形態】
【００１４】
＜実施形態１＞
本発明の第１の実施形態を、図２乃至図６を参照して説明する。図２及び図６は、実施形態１におけるアンテナ装置を搭載した携帯電話機の内部構成を示す図であり、図３乃至図５は、アンテナ装置を構成するアンテナ基板の構成を示す図である。
【００１５】
本実施形態における携帯電話機は、FeliCa（登録商標）に代表される近距離無線にて通信を行うＲＦＩＤ（Radio Frequency IDentification）タグといった、ループ型の磁界誘導アンテナ部１２ａを実装したアンテナ装置５を備えている。但し、本実施形態で説明する携帯電話機は、本発明の一例であり、本発明は、以下に説明する構成のアンテナ装置５を装備しているいかなる電子機器であってもよい。
【００１６】
図２は、アンテナ装置５が装備された携帯電話機の筺体１内部の構成を示しており、特に、携帯電話機の筐体１内部を側面側から見たときの様子を示している。図２に示す携帯電話機の筺体１内には、種々の部品が配置される部品配置エリア２が形成されており、当該部品配置エリア２内に、無線通信回路を有する電気回路が構成された基板部３を備えている。そして、基板部３に、当該基板部３に形成された無線通信回路と部品配設エリア２外に配置されるアンテナ装置５とを接続するアンテナコネクタ４が装備されている。例えば、アンテナコネクタ４は、基板部３の基板面に対して垂直方向に立設する所定の長さ導体で構成されている。
【００１７】
上記アンテナ装置５は、フレキシブル基板で構成されており、図２に示すように、Ｕの字状（コの字状）に折り曲げられて（曲折されて）、部品配置エリア２外に装備されている。具体的に、アンテナ装置５は、図３に示すアンテナ基板１０を備えており、このアンテナ基板１０の一方が相互に対面するよう折り畳まれて、その間にスペーサ１４が介挿されることで構成されている。
【００１８】
上記アンテナ基板１０は、略長方形状のループアンテナ基板部１２と、略長方形状の連結アンテナ基板部１３とが、曲折基板部１１を介して連結して構成されている。具体的に、アンテナ基板１０は、曲折基板部１１（曲折箇所）を境にして一方側に、アンテナ配線が基板の外周付近に略長方形状つまりループ型に形成されたループアンテナ部１２ａを備えたループアンテナ基板部１２を備えている。また、アンテナ基板１０は、曲折基板部１１（曲折箇所）を境にして他方側に、アンテナ配線が基板の外周付近に略長方形状に形成された連結アンテナ部１３ａを備えた連結アンテナ基板部１３を備えている。そして、連結アンテナ基板部１３は、上述したアンテナコネクタ４に接続する接点部１３ｂを備えており、連結アンテナ部１３ａは接点部１３ｂと上記ループアンテナ部１２ｂとを連結するアンテナ配線である。
【００１９】
そして、上記アンテナ基板１０は、ループアンテナ基板部１２と連結アンテナ基板部１３との一方の面が相互に対向し、図２に示すように各基板部１２，１３が相互に積層する位置関係となるよう、図４に示すように、曲折基板部１１の箇所で折り曲げられる。このとき、折り畳まれたループアンテナ基板部１２と連結アンテナ基板部１３とは、間にスペーサ１４が介挿され、当該スペーサ１４に対して両面テープ１５で固着される。また、連結アンテナ基板部１３は、部品配置エリア２の外面に両面テープ１６で固着される。これにより、図２に示すように、ループアンテナ基板部１２が筺体１の外面近くに位置することとなり、ループアンテナ部１２ａにて対向通信アンテナとの結合量を確保している。
【００２０】
また、上記ループアンテナ基板部１２の外形は、上記連結アンテナ基板部１３の外形よりも小さく形成されている。具体的には、上述したように略長方形状である連結アンテナ基板部１３の外周付近に連結アンテナ部１３ａが略長方形状に形成されているが、この略長方形状の連結アンテナ部１３ａの内側に収まる形状及び大きさに、ループアンテナ基板部１２が形成されている。従って、図２及び図４に示すように、アンテナ基板１０が折り曲げられた状態では、ループアンテナ基板部１２に形成されたループアンテナ部１２ａの外周を囲うよう、連結アンテナ部１３ａが位置して配置される。つまり、ループアンテナ部１２ａと連結アンテナ部１３ａとは、相互に重なる位置関係とはならず、つまり、積層状態において同一箇所で相互に上下に位置する関係とはならない。
【００２１】
さらに、連結アンテナ基板部１３に設けられている接点部１３ｂは、図４に示すように、連結アンテナ基板部１３の曲折基板部１１側とは反対側の外周付近（端部付近）に位置している。そして、図３に示すように、ループアンテナ基板部１２における曲折基板部１１箇所から反対側の外周付近までの距離Ｌ１は、連結アンテナ基板部１３において曲折基板部１１箇所から反対側の外周付近つまり接点部１３ｂまでの距離Ｌ２よりも短く形成されている。これにより、図２及び図４に示すように、アンテナ基板１０が折り曲げられた状態では、ループアンテナ基板部１２に形成されたループアンテナ部１２ａと、連結アンテナ部１３ａに形成された接点部１３ｂとは、相互に重なる位置関係とはならず、つまり、積層状態において同一箇所で相互に上下に位置する関係とはならない。
【００２２】
また、上記ループアンテナ部１２ａを形成するアンテナ配線と、連結アンテナ部１３ａを形成するアンテナ配線とは、相互に近接して位置する箇所で、両アンテナ配線に流れる電流の方向が同一方向となるように形成されている。具体的には、アンテナ基板１０が折り曲げられた状態において、ループアンテナ基板部１２と連結アンテナ基板部１３との外周付近に位置するアンテナ配線が相互に近接して並走した位置関係となるが、このような近接して並走する位置関係にある両アンテナ配線に流れる電流の方向が、図５の矢印に示すように同一方向となるよう形成されている。
【００２３】
以上のように構成することで、図２、図４、図６に示すように、携帯電話機の筺体１内においては、ループアンテナ部１２ａが、連結アンテナ部１３ａや接点部１３ｂ、さらにはアンテナコネクタ４と、相互に重なった状態とはならずに配置される。このため、ループアンテナ部１２ａに流れる磁束の流れが、アンテナ配線や接点部１３ｂ、アンテナコネクタ４等の金属物で阻害されることを抑制でき、アンテナ特性の向上を図ることができる。また、ループアンテナ部１２ａと当該ループアンテナ部１２ａに連結される連結アンテナ部１３ａとのうち相互に近接する箇所においては、同一方向に電流が流れるよう設定しているため、相互に磁束が打ち消し合わないこととなる。その結果、さらなるアンテナ特性の向上を図ることができる。
【００２４】
なお、上記では、ループアンテナ部１２ａと連結アンテナ部１３ａとのうち相互に近接する箇所において同一方向に電流が流れるよう構成されている場合を例示したが、必ずしもかかる構成でなくてもよい。アンテナ基板１０が折り曲げられた状態で、ループアンテナ基板部１２に形成されたループアンテナ部１２ａと、連結アンテナ部１３ａに形成された接点部１３ｂとが、相互に重ならない位置関係となっているだけでもよい。かかる構成であっても、アンテナ配線や接点部１３ｂ、アンテナコネクタ４等の金属物で阻害されることを抑制でき、アンテナ特性の向上を図ることができる。
【００２５】
また、アンテナ基板１０が折り曲げられた状態で、ループアンテナ基板部１２に形成されたループアンテナ部１２ａと、連結アンテナ部１３ａに形成された接点部１３ｂとが、必ずしも相互に重なる位置関係とはなっていなくてもよい。その場合には、ループアンテナ部１２ａと連結アンテナ部１３ａとのうち相互に近接する箇所において、同一方向に電流が流れるよう構成する。かかる構成によると、アンテナ配線に相互に磁束が打ち消し合わないこととなるため、アンテナ特性の向上を図ることができる。
【００２６】
＜実施形態２＞
次に、本発明の第２の実施形態を、図７乃至図８を参照して説明する。図７及び図８は、実施形態２におけるアンテナ装置を搭載した携帯電話機の内部構成を示す図である。
【００２７】
本実施形態における携帯電話機に搭載されたアンテナ装置５は、上述した実施形態１で説明したものとほぼ同様の構成をとる。但し、本実施形態では、アンテナ基板１０の折り畳み方向（曲折方向）が異なる。
【００２８】
具体的に、本実施形態におけるアンテナ装置５のアンテナ基板１０は、図７に示すように、筺体１内部の部品配置エリア２の外形に沿って、基板部３が配置されている側に折り畳まれて配置される。つまり、本実施形態におけるアンテナ基板１０は、実施形態１とは反対側の面が相互に対向するよう折り畳まれ、ループアンテナ部１２ａが筺体１の基板部３が配置された側に位置する。このとき、アンテナ基板１０のループアンテナ基板部１２と連結アンテナ基板部１３とは、部品配置エリア２の外面に両面テープ１６で固着される。これにより、図７に示すように、ループアンテナ基板部１２が筺体１の基板部３側の外面近くに位置することとなり、ループアンテナ部１２ａにて対向通信アンテナとの結合量を確保している。
【００２９】
そして、アンテナ基板１０は、上述した実施形態１と同様に、図７及び図８に示すように、ループアンテナ部１２ａが、連結アンテナ部１３ａや接点部１３ｂ、さらにはアンテナコネクタ４と、相互に重なった状態とはならずに配置される。このため、ループアンテナ部１２ａに流れる磁束の流れが、アンテナ配線や接点部１３ｂ、アンテナコネクタ４等の金属物で阻害されることを抑制でき、アンテナ特性の向上を図ることができる。また、ループアンテナ部１２ａと当該ループアンテナ部１２ａに連結される連結アンテナ部１３ａとのうち相互に近接する箇所においては、同一方向に電流が流れるよう設定しているため、相互に磁束が打ち消し合わないこととなる。その結果、さらなるアンテナ特性の向上を図ることができる。
【００３０】
＜付記＞
上記実施形態の一部又は全部は、以下の付記のようにも記載されうる。以下、本発明におけるアンテナ装置、電子機器の構成の概略を説明する。但し、本発明は、以下の構成に限定されない。
【００３１】
（付記１）
無線通信回路を有する基板に装備されたアンテナコネクタが接続される接点部と、当該接点部に接続されたアンテナ配線と、が形成されたアンテナ基板を備え、
前記アンテナ基板は、所定の面が相互に対向するよう曲折可能に形成されており、曲折箇所を境にして一方側に、前記アンテナ配線のうち一部がループ型に形成されたループアンテナ部が位置すると共に、曲折箇所を境にして他方側に、前記アンテナ配線のうち前記接点部と前記ループアンテナ部とを連結する連結アンテナ部及び前記接点部が位置して形成されており、
前記アンテナ基板が曲折された状態において、前記接点部と前記ループアンテナ部とが相互に重なる位置関係とならないよう、前記アンテナ基板を形成した、
アンテナ装置。
【００３２】
（付記２）
付記１に記載のアンテナ装置であって、
前記アンテナ基板の曲折箇所を境にして前記一方側における前記曲折箇所から当該曲折箇所とは反対側の端部までの長さが、前記アンテナ基板の曲折箇所を境にして前記他方側における前記曲折箇所から前記接点部までの長さよりも短く形成されている、
アンテナ装置。
【００３３】
（付記３）
付記１又は２に記載のアンテナ装置であって、
前記アンテナ基板が曲折された状態において、前記ループアンテナ部を形成するアンテナ配線と前記連結アンテナ部を形成するアンテナ配線とが相互に近接して位置する箇所で、両アンテナ配線に流れる電流の方向が同一方向となるよう、前記アンテナ基板を形成した、
アンテナ装置。
【００３４】
（付記４）
付記１又は２に記載のアンテナ装置であって、
前記アンテナ基板が曲折された状態において、前記ループアンテナ部を形成するアンテナ配線と前記連結アンテナ部を形成するアンテナ配線とが相互に近接して並走する箇所で、両アンテナ配線に流れる電流の方向が同一方向となるよう、前記アンテナ基板を形成した、
アンテナ装置。
【００３５】
（付記５）
付記１乃至４のいずれかに記載のアンテナ装置であって、
前記アンテナ基板が曲折された状態において、前記連結アンテナ部は、前記ループアンテナ部の外周を囲う大きさに形成されている、
アンテナ装置。
【００３６】
（付記６）
無線通信回路を有する基板に装備されたアンテナコネクタが接続される接点部と、当該接点部に接続されたアンテナ配線と、が形成されたアンテナ基板を備え、
前記アンテナ基板は、所定の面が相互に対向するよう曲折可能に形成されており、曲折箇所を境にして一方側に、前記アンテナ配線のうち一部がループ型に形成されたループアンテナ部が位置すると共に、曲折箇所を境にして他方側に、前記アンテナ配線のうち前記接点部と前記ループアンテナ部とを連結する連結アンテナ部及び前記接点部が位置して形成されており、
前記アンテナ基板が曲折された状態において、前記ループアンテナ部を形成するアンテナ配線と前記連結アンテナ部を形成するアンテナ配線とが相互に近接して位置する箇所で、両アンテナ配線に流れる電流の方向が同一方向となるよう、前記アンテナ基板を形成した、
アンテナ装置。
【００３７】
（付記７）
無線通信回路を有する基板に装備されたアンテナコネクタが接続される接点部と、当該接点部に接続されたアンテナ配線と、が形成されたアンテナ基板を備えたアンテナ装置が装備された電子機器であって、
前記アンテナ装置の前記アンテナ基板は、所定の面が相互に対向するよう曲折可能に形成されており、曲折箇所を境にして一方側に、前記アンテナ配線のうち一部がループ型に形成されたループアンテナ部が位置すると共に、曲折箇所を境にして他方側に、前記アンテナ配線のうち前記接点部と前記ループアンテナ部とを連結する連結アンテナ部及び前記接点部が位置して形成されており、
前記アンテナ基板が曲折された状態において、前記接点部と前記ループアンテナ部とが相互に重なる位置関係とならないよう、前記アンテナ基板を形成した、
電子機器。
【００３８】
（付記８）
無線通信回路を有する基板に装備されたアンテナコネクタが接続される接点部と、当該接点部に接続されたアンテナ配線と、が形成されたアンテナ基板を備えたアンテナ装置が装備された電子機器であって、
前記アンテナ基板は、所定の面が相互に対向するよう曲折可能に形成されており、曲折箇所を境にして一方側に、前記アンテナ配線のうち一部がループ型に形成されたループアンテナ部が位置すると共に、曲折箇所を境にして他方側に、前記アンテナ配線のうち前記接点部と前記ループアンテナ部とを連結する連結アンテナ部及び前記接点部が位置して形成されており、
前記アンテナ基板が曲折された状態において、前記ループアンテナ部を形成するアンテナ配線と前記連結アンテナ部を形成するアンテナ配線とが相互に近接して位置する箇所で、両アンテナ配線に流れる電流の方向が同一方向となるよう、前記アンテナ基板を形成した、
電子機器。
【００３９】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００４０】
１  筺体
２  部品配置エリア
３  基板部
４  アンテナコネクタ
５  アンテナ装置
１０  アンテナ基板
１１  曲折基板部
１２  ループアンテナ基板部
１２ａ  ループアンテナ部
１３  連結アンテナ基板部
１３ａ  連結アンテナ部
１３ｂ  接点部
１４  スペーサ
１５，１６  両面テープ
【図１】
2013172220.tif 000003
【図２】
2013172220.tif 000004
【図３】
2013172220.tif 000005
【図４】
2013172220.tif 000006
【図５】
2013172220.tif 000007
【図６】
2013172220.tif 000008
【図７】
2013172220.tif 000009
【図８】
2013172220.tif 000010